(57)【要約】      （修正有）【課題】切り取った爪の飛散を防ぎつつ、楽な姿勢及び楽な動作で爪を切ることができるニッパー式爪切りを提供する。【解決手段】ニッパー式爪切りＳは、刃部１００ａ、１００ｂが形成された一対の刃体１０１ａ，１０１ｂとこれを保持する刃体保持部、これに連設された把手部１０４ａ，１０４ｂを有する２つの爪切り片からなる。この様な形状で刃部を形成することにより、輪郭が丸い爪先にフィットさせやすくなり、より安全に爪を切ることが可能になる。刃体（有底矩形筒状に形成された本体）の内部空間は、切り取られた爪を保持する保持空間として機能する。この保持空間により切り取った爪が飛散してしまうことを防ぐことが可能になる。【選択図】図１
2020130824.tif 000002
【特許請求の範囲】
【請求項１】
それぞれに刃部が形成された一対の刃体と、
前記刃体を保持する刃体保持部と、
前記刃体保持部に連設された把手部と、を有する２つの爪切り片からなり、
前記刃体は、有底矩形筒状に形成された本体の開口部の一辺とこれに隣接する本体外周の一辺との間に前記刃部が形成され、
前記刃部は、当該刃部の長さ方向の略中心から前記開口部の中心を通る水平線までの垂線距離が、当該刃部の端領域から前記開口部の中心を通る水平線までの垂線距離と比べて相対的に長さが短くなるように湾曲して形成されており、
前記爪切り片それぞれは、前記把手部を介して一方の刃部を他方の刃部に当接させる動作、又は、一方の刃部から他方の刃部を離脱させる動作を行えるように回動可能に軸支され、
前記刃体は、一方の刃部を他方の刃部に当接させた際に当該刃体に形成された前記開口部が対向するように前記刃体保持部に保持されることを特徴とする、
ニッパー式爪切り。
【請求項２】
前記刃体は、前記刃部の長さ方向と前記把手部の長さ方向が略同方向となるように前記刃体保持部に保持されることを特徴とする、
請求項１に記載のニッパー式爪切り。
【請求項３】
前記刃体は、前記刃部の長さ方向と前記把手部の長さ方向が交差するように前記刃体保持部に保持されることを特徴とする、
請求項１に記載のニッパー式爪切り。
【請求項４】
前記刃体は、前記刃部の長さ方向と前記把手部の長さ方向が直交するように前記刃体保持部に保持されることを特徴とする、
請求項３に記載のニッパー式爪切り。
【請求項５】
前記刃体保持部は、前記把手部の長さ方向を基準に、当該把手部の長さ方向と前記刃部の長さ方向とが任意の角度で交差するように当該刃体を保持する保持機構を有することを特徴とする、
請求項１に記載のニッパー式爪切り。
【請求項６】
前記刃体は、前記刃体保持部から着脱自在に構成されることを特徴とする、
請求項１乃至５いずれか一項に記載のニッパー式爪切り。
【発明の詳細な説明】
【技術分野】
【０００１】
本発明は、ニッパー式爪切りの技術に関する。
【背景技術】
【０００２】
従来のニッパー式爪切りは、２つの刃部を閉じたときに両刃部の上方は開放されているため、爪を切る際に両刃部によって切られた爪が刃部の上方に飛び散るものであった。
【０００３】
例えば、特許文献１に開示された爪切りは、枢着部の表面に合成樹脂製の薄片が接着されており、この薄片は閉じた両刃部を上からほぼ全面的に覆っている、というものである。
【０００４】
また、特許文献２に開示されたニッパー式の爪切りは、従来の爪切りの刃は片側であり、巻爪等変形した爪を切り取るのは困難であったので、刃を両側に設けてさらにその刃の先端を設けて連続した刃を形成する、というものである。具体的には、刃で普通の爪切りとして使用し、刃の先端で巻爪等変形した爪を切り取ることができるとしている。
【先行技術文献】
【特許文献】
【０００５】
【特許文献１】特開２０００−５０９４２号公報
【特許文献２】特開２０１０−２７９６６５号公報
【発明の概要】
【発明が解決しようとする課題】
【０００６】
しかしながら、特許文献１、２に開示されたニッパー式の爪切りは、爪を切るための刃は直線形状に形成されており、また、刃の長さ方向と大凡同じ方向に向けて把手部（握り部分）が延伸している。
そのため、輪郭が丸い爪先に直線形状に形成された刃先を当てて爪を切ることになるため、爪の輪郭に沿って爪切りの向きを変えるか、あるいは刃先に対して指の向きを変えなくてはならず大変不便であり、また、深爪をしてしまうなど安全性の面でも問題がある。
【０００７】
また、足指の爪を切る場合には特に足指の向きを変えることは難しく、爪切りの把手部を握る手を爪の輪郭に沿って移動させることになる。そのため、足指の先端部の爪を切る場合や利き腕とは反対側の足指の爪を切る場合などは、大きく腕を伸ばした状態で手首を曲げ、爪切りの刃先を自身の方を向けるという不自然な姿勢をとる必要があり大変不便である、という課題が残る。このような姿勢及び動作は、高齢者、腰を痛めている人、妊婦、肥満体型の人など前屈動作をしにくい人にとっては非常に困難であり、且つ、安全に爪を切るという点でも問題が残る。
【０００８】
本発明は、切り取った爪の飛散を防ぎつつ、楽な姿勢及び楽な動作で爪を切ることができるニッパー式爪切りを提供することを、主たる目的とする。
【課題を解決するための手段】
【０００９】
本発明のニッパー式爪切りは、それぞれに刃部が形成された一対の刃体と、前記刃体を保持する刃体保持部と、前記刃体保持部に連設された把手部と、を有する２つの爪切り片からなり、前記刃体は、有底矩形筒状に形成された本体の開口部の一辺とこれに隣接する本体外周の一辺との間に前記刃部が形成され、前記刃部は、当該刃部の長さ方向の略中心から前記開口部の中心を通る水平線までの垂線距離が、当該刃部の端領域から前記開口部の中心を通る水平線までの垂線距離と比べて相対的に長さが短くなるように湾曲して形成されており、前記爪切り片それぞれは、前記把手部を介して一方の刃部を他方の刃部に当接させる動作、又は、一方の刃部から他方の刃部を離脱させる動作を行えるように回動可能に軸支され、前記刃体は、一方の刃部を他方の刃部に当接させた際に当該刃体に形成された前記開口部が対向するように前記刃体保持部に保持されることを特徴とする。
【発明の効果】
【００１０】
本発明によれば、切り取った爪の飛散を防ぎつつ、爪の輪郭に沿って爪切りの向きを変えたり、爪切りに対して指の向きを変えたりすることなく楽な姿勢及び楽な動作で爪を切ることができる。
【図面の簡単な説明】
【００１１】
【図１】第１実施形態に係るニッパー式爪切りの構成の一例を説明するための概要図。
【図２】（ａ）、（ｂ）、（ｃ）は、図１とは異なる、ニッパー式爪切りの構成の一例を説明するための図。
【図３】刃体の構成の一例を説明するための３Ｄモデル図。
【図４】第２実施形態に係るニッパー式爪切りの構成の一例を説明するための概要図。
【図５】（ａ）、（ｂ）、（ｃ）は、図４とは異なる、ニッパー式爪切りの構成の一例を説明するための図。
【図６】刃体の構成の一例を説明するための３Ｄモデル図。
【発明を実施するための形態】
【００１２】
以下、図面を参照しながら実施形態を説明する。
【００１３】
［第１実施形態］
図１は、本実施形態に係るニッパー式爪切りの構成の一例を説明するための正面図である。
図２は、図１とは異なる、ニッパー式爪切りの構成の一例を説明するための図である。図２（ａ）は、ニッパー式爪切りＳの側面図である。図２（ｂ）は、後述する一対の刃体（有底矩形筒状に形成された本体）それぞれに形成された刃部を互いに当接させた状態で図２（ａ）に示すＡ−Ａ´切断線により切断したときの概略端面図である。また、図２（ｃ）は、後述する刃体をその内部空間の開口部側から視認した状態を示す拡大図である。以下、図１、図２を用いてニッパー式爪切りＳの構成を説明する。
【００１４】
図１に示すように、ニッパー式爪切りＳは、刃体１０１ａ、ｂ、刃体保持部１０２ａ、ｂ、支軸１０３、把手部１０４ａ、ｂを含んで構成される。
また、一対の刃体１０１ａと刃体１０１ｂはそれぞれ、有底矩形筒状に形成された本体の開口部の一辺とこれに隣接する本体外周の一辺との間に所定の長さを有する刃部が形成される。具体的には図２（ｂ）、（ｃ）に示すような刃部１００ａ、１００ｂがそれぞれ形成される。
【００１５】
図２（ｃ）に示すように、刃体１０１ａ（ｂ）に形成される刃部１００ａ（ｂ）は、当該刃部１００ａ（ｂ）の長さ方向の略中心から刃体１０１ａ（ｂ）の開口部の中心を通る水平線までの垂線距離が、刃部１００ａ（ｂ）の端領域から開口部の中心を通る水平線までの垂線距離と比べて相対的に長さが短くなるように湾曲（曲線形状）して形成される。この様な形状で刃部１００ａ（ｂ）を形成することにより、輪郭が丸い爪先にフィットさせやすくなり、より安全に爪を切ることが可能になる。
【００１６】
なお、刃体（有底矩形筒状に形成された本体）の内部空間は、切り取られた爪を保持する保持空間として機能する（図２（ｂ）、（ｃ）参照）。この保持空間により切り取った爪が飛散してしまうことを防ぐことが可能になる。
【００１７】
また、刃体１０１ａは刃体保持部１０２ａに保持され、刃体１０１ｂは刃体保持部１０２ｂに保持される。刃体保持部１０２ａは、爪切りを行うユーザが手で握る部位である把手部１０４ａに連設されており、刃体保持部１０２ｂ把手部１０４ｂに連設されている。
【００１８】
このように、所定の長さの刃部１００ａ（ｂ）が形成された刃体１０１ａ（ｂ）、刃体保持部１０２ａ（ｂ）、把手部１０４ａ（ｂ）により爪切り片が形成され、ニッパー式爪切りＳはこれら２つ（一対）の爪切り片から構成される。
以下、それぞれの構成部においてａ又はｂを区別する必要が無いときにはその記載を省略して説明する場合がある。
【００１９】
爪切り片それぞれは、把手部１０４を介して一方の刃体１０１（刃部１００）を他方の刃体１０１（刃部１００）に当接させる動作、又は、一方の刃体１０１（刃部１００）から他方の刃体１０１（刃部１００）を離脱させる動作を行えるように回動可能に支軸１０３により軸支される。なお、刃体保持部１０２は刃体１０１が有する内部空間の開口部それぞれが対向するようにそれぞれの刃体を保持する。
【００２０】
刃体１０１ａは刃体保持部１０２ａに保持され、刃体１０１ｂは刃体保持部１０２ｂに保持されることは既に述べたとおりである。例えば、刃体１０１は刃体保持部１０２から着脱自在となるように構成することができる。
具体的には、例えば刃体１０１の所定箇所に凸部を形成し、刃体保持部１０２の所定箇所に凹部を形成し、保持機構として凸部と凹部これらを勘合することにより図１、図２に示すようなニッパー式爪切りＳの状態に組み立て可能に構成することができる。
これにより、切れ味が鈍ってきた際には刃体を交換するだけで良く、爪切り全体を買い変えることと比べて維持コストの負担を軽減することができる。
【００２１】
また、刃体１０１の凸部と刃体保持部１０２の凹部を勘合させる際に、刃部１００の長さ方向と把手部１０４の長さ方向が略同方向（不図示）、あるいは図２（ａ）に示すような所定の角度で交差するように刃体保持部１０２に刃体１０１を保持させることもできる。
このように刃体保持部１０２の保持機構は、把手部１０４の長さ方向を基準に、刃体保持部１０２が把手部１０４の長さ方向と刃部１００の長さ方向とが任意の角度で交差するように刃体１０１を保持する機構として機能する。
これにより、ニッパー式爪切りＳを使用するユーザは自身の爪を切る際の姿勢などに合わせた爪を切りやすい刃部１００の角度を任意に決定することができるため、ニッパー式爪切りＳの使用感の向上や使用時の安全性の向上を図ることができる。
【００２２】
なお、刃体１０１の凸部と刃体保持部１０２の凹部を勘合させる際の角度は、例えば刃体１０１が有する凸部の外表面と刃体保持部１０２が有する凹部の内表面それぞれに溝（例えばギヤ溝）を形成し、それぞれの溝を噛み合わせることで５（度）、あるいは１０（度）など単位角度で調整をしながら位置決めが可能に構成しても良い。これによりユーザの体型や好みに応じた刃部１００と把手部１０４との角度をより容易に決定することができる。
【００２３】
図３は、刃体１０１の構成の一例を説明するための３Ｄモデル図である。
図３に示すように、例えば刃体１０１の外表面を滑らかな曲線を用いて加工したり、面取り加工を施したりしても良い。また、刃体１０１の開口部を略楕円形状に形成しても良い。このような処理を施すことによりニッパー式爪切りＳをより安全に使用することができるとともに、ニッパー式爪切りＳの軽量化を図ることも可能になるため、使用感をさらに向上させることができる。
【００２４】
このように、本実施形態に係るニッパー式爪切りＳは、刃体１０１に形成された刃部は湾曲して形成され、切り取られた爪を保持す保持空間が形成され、把手部１０４と刃部１００との角度を任意に設定することができる。
これにより、切り取った爪の飛散を防ぎつつ、爪の輪郭に沿って爪切りの向きを変えたり、爪切りに対して指の向きを変えたりすることなく楽な姿勢、楽な動作で安全に爪を切ることができる。
【００２５】
［第２実施形態］
第１実施形態では、刃部１００の長さ方向と把手部１０４の長さ方向が略同方向となるように、あるいは刃部１００の長さ方向と把手部１０４の長さ方向が交差するように刃体１０１が刃体保持部１０２に保持されるニッパー式爪切りＳについて説明した。
本実施形態では、刃部の長さ方向と前記把手部の長さ方向が直交するように刃体保持部に保持されるニッパー式爪切りＴについて説明する。なお、第１実施形態において説明した機能構成と同一のものは、同一の符号を付すととともにその説明を省略する。
【００２６】
図４は、本実施形態に係るニッパー式爪切りＴの構成の一例を説明するための正面図である。
図５は、図４とは異なる、ニッパー式爪切りＴの構成の一例を説明するための図である。図５（ａ）は、ニッパー式爪切りＴの側面図である。図５（ｂ）は、後述する一対の刃体（有底矩形筒状に形成された本体）それぞれに形成された刃部を互いに当接させた状態で図５（ａ）に示すＢ−Ｂ´切断線により切断したときの概略端面図である。また、図５（ｃ）は、後述する刃体をその内部空間の開口部側から視認した状態を示す拡大図である。以下、図４、図５を用いてニッパー式爪切りＴの構成を説明する。
【００２７】
図４に示すように、ニッパー式爪切りＴは、刃体２０１ａ、ｂ、刃体保持部２１０２ａ、ｂ、支軸２０３、把手部２０４ａ、ｂを含んで構成される。
また、一対の刃体２０１ａと刃体２０１ｂはそれぞれ、有底矩形筒状に形成された本体の開口部の一辺とこれに隣接する本体外周の一辺との間に所定の長さを有する刃部が形成される。具体的には図５（ｂ）、（ｃ）に示すような刃部２００ａ、２００ｂがそれぞれ形成される。
【００２８】
図５（ｃ）に示すように、刃体２０１ａ（ｂ）に形成される刃部２００ａ（ｂ）は、当該刃部２００ａ（ｂ）の長さ方向の略中心から刃体２０１ａ（ｂ）の開口部の中心を通る水平線までの垂線距離が、刃部２００ａ（ｂ）の端領域から開口部の中心を通る水平線までの垂線距離と比べて相対的に長さが短くなるように湾曲（曲線形状）して形成される。この様な形状で刃部２００ａ（ｂ）を形成することにより、輪郭が丸い爪先にフィットさせやすくなり、より安全に爪を切ることが可能になる。
【００２９】
なお、刃体（有底矩形筒状に形成された本体）の内部空間は、切り取られた爪を保持する保持空間として機能する（図２（ｂ）、（ｃ）参照）。この保持空間により切り取った爪が飛散してしまうことを防ぐことが可能になる。
【００３０】
また、刃体２０１ａは刃体保持部２０２ａに保持され、刃体２０１ｂは刃体保持部２０２ｂに保持される。刃体保持部２０２ａは、爪切りを行うユーザが手で握る部位である把手部２０４ａに連設されており、刃体保持部２０２ｂ把手部２０４ｂに連設されている。
【００３１】
このように、所定の長さの刃部２００ａ（ｂ）が形成された刃体２０１ａ（ｂ）、刃体保持部２０２ａ（ｂ）、把手部２０４ａ（ｂ）により爪切り片が形成され、ニッパー式爪切りＴはこれら２つ（一対）の爪切り片から構成される。
以下、それぞれの構成部においてａ又はｂを区別する必要が無いときにはその記載を省略して説明する場合がある。
【００３２】
爪切り片それぞれは、把手部２０４を介して一方の刃体２０１（刃部２００）を他方の刃体２０１（刃部２００）に当接させる動作、又は、一方の刃体２０１（刃部２００）から他方の刃体２０１（刃部２００）を離脱させる動作を行えるように回動可能に支軸２０３により軸支される。なお、刃体保持部２０２は刃体２０１が有する内部空間の開口部それぞれが対向するようにそれぞれの刃体を保持する。
【００３３】
刃体２０１ａは刃体保持部２０２ａに保持され、刃体２０１ｂは刃体保持部２０２ｂに保持されることは既に述べたとおりである。例えば、刃体２０１は刃体保持部２０２から着脱自在となるように構成することができる。
具体的には、例えば刃体２０１の所定箇所に凸部を形成し、刃体保持部２０２の所定箇所に凹部を形成し、凸部と凹部これらを勘合することにより図４、図５に示すようなニッパー式爪切りＴの状態に組み立て可能に構成することができる。
これにより、切れ味が鈍ってきた際には刃体を交換するだけで良く、爪切り全体を買い変えることと比べて維持コストの負担を軽減することができる。
【００３４】
また、刃体２０１の凸部と刃体保持部２０２の凹部を勘合させる際に、刃部２００の長さ方向と把手部２０４の長さ方向が略直交するように刃体保持部２０２に刃体２０１を保持させる。
これにより、例えば親が子供の爪を切ってあげる場合など、第三者に対して爪切りを行う場合に不自由な姿勢で爪切り動作を行わなくても良くなり、また、不自由な姿勢を取ることがなくなるため爪先の視認性も向上する。そのため、第三者に対して爪切りを行う場合であっても爪切りの使用者の使用感の向上や使用時の安全性の向上を図ることができる。
【００３５】
図６は、刃体２０１の構成の一例を説明するための３Ｄモデル図である。
図６に示すように、例えば刃体２０１の外表面を滑らかな曲線を用いて加工したり、面取り加工を施したりしても良い。また、刃体２０１の開口部を略楕円形状に形成しても良い。このような処理を施すことによりニッパー式爪切りＴをより安全に使用することができるとともに、ニッパー式爪切りＴの軽量化を図ることも可能になるため、使用感をさらに向上させることができる。
【００３６】
このように、本実施形態に係るニッパー式爪切りＴは、刃体１０１に形成された刃部は湾曲して形成され、切り取られた爪を保持す保持空間が形成され、把手部２０４と刃部２００が直交する。
これにより、爪切りの使用者が第三者の爪を切る場合であっても切り取った爪の飛散を防ぎつつ、爪の輪郭に沿って爪切りの向きを変えたり、爪切りに対して指の向きを変えたりすることなく楽な姿勢、楽な動作で、且つ、視認性良く安全に爪を切ることができる。
【００３７】
これまで説明した実施形態は、本発明をより具体的に説明するためのものであり、本発明の範囲が、これらの例に限定されるものではない。
【符号の説明】
【００３８】
１００ａ、ｂ、２００ａ、ｂ・・・刃部、１０１ａ、ｂ、２０１ａ、ｂ・・・刃体、１０２ａ、ｂ、２０２ａ、ｂ・・・刃体保持部、１０３、２０３・・・支軸、１０４ａ、ｂ、２０４ａ、ｂ・・・把手部、Ｓ、Ｔ・・・ニッパー式爪切り。
【図１】
2020130824.tif 000003
【図２】
2020130824.tif 000004
【図３】
2020130824.tif 000005
【図４】
2020130824.tif 000006
【図５】
2020130824.tif 000007
【図６】
2020130824.tif 000008